(57)【要約】      （修正有）【課題】３Ｄプリンタで造形物を出力するために用いる３Ｄ印刷用データを取引する３Ｄ印刷用データ取引システムを提供する。【解決手段】３Ｄ印刷用データの作成者が利用するコンピュータから，３Ｄ印刷用データに関する情報を受け付け，３Ｄ印刷用データ記憶部に記憶させる３Ｄ印刷用データ登録処理部と，コンテンツの許諾権者が利用するコンピュータから，使用許諾の対象とするコンテンツに関する情報を受け付け，使用許諾コンテンツ記憶部に記憶させる使用許諾コンテンツ登録処理部と，コンテンツの使用許諾に関する審査処理を行う使用許諾コンテンツ審査処理部と，を備えている。作成者から受け付けた３Ｄ印刷用データがオリジナルコンテンツの場合には公開して取引可能とし，作成者から受け付けた３Ｄ印刷用データが使用許諾コンテンツの場合にはコンテンツの許諾権者からの承認通知を受けた後に公開して取引可能とする。【選択図】図１
2017207944.tif 000002
【特許請求の範囲】
【請求項１】
３Ｄプリンタで造形物を出力するための３Ｄ印刷用データを取引するための３Ｄ印刷用データ取引システムであって，
前記３Ｄ印刷用データ取引システムは，
３Ｄ印刷用データを含む，その３Ｄ印刷用データに関する情報を記憶する３Ｄ印刷用データ記憶部と，
３Ｄ印刷用データの作成者が利用するコンピュータから，前記３Ｄ印刷用データに関する情報を受け付け，前記３Ｄ印刷用データ記憶部に記憶させる３Ｄ印刷用データ登録処理部と，
使用許諾の対象とするコンテンツに関する情報を記憶する使用許諾コンテンツ記憶部と，
コンテンツの許諾権者が利用するコンピュータから，使用許諾の対象とするコンテンツに関する情報を受け付け，前記使用許諾コンテンツ記憶部に記憶させる使用許諾コンテンツ登録処理部と，
前記コンテンツの使用許諾に関する審査処理を行う使用許諾コンテンツ審査処理部と，
を備えており，
前記作成者が利用するコンピュータから受け付けた３Ｄ印刷用データがオリジナルコンテンツの場合には一部または全部を公開して取引可能とし，
前記作成者が利用するコンピュータから受け付けた３Ｄ印刷用データが使用許諾コンテンツの場合には前記コンテンツの許諾権者からの承認通知を受けた後に一部または全部を公開して取引可能とする，
ことを特徴とする３Ｄ印刷用データ取引システム。
【請求項２】
前記３Ｄ印刷用データ登録処理部は，
前記使用許諾の対象とするコンテンツに対する３Ｄ印刷用データの登録を受け付ける場合，前記許諾権者が利用するコンピュータから，使用するコンテンツの選択と，登録する３Ｄ印刷用データに関する情報を受け付け，
前記使用許諾コンテンツ審査処理部は，
前記３Ｄ印刷用データに関する情報を受け付けた後，前記使用するコンテンツの許諾権者に対して審査依頼を通知し，
前記許諾権者が利用するコンピュータから承認の通知を受けた場合，前記３Ｄ印刷用データ記憶部に記憶させた３Ｄ印刷用データに関する情報の一部または全部を公開し，
前記許諾権者が利用するコンピュータから不承認の通知を受けた場合，前記３Ｄ印刷用データ記憶部に記憶させた３Ｄ印刷用データに関する情報を非公開とする，
ことを特徴とする請求項１に記載の３Ｄ印刷用データ取引システム。
【請求項３】
前記使用許諾コンテンツ登録処理部は，
前記使用許諾の対象とするコンテンツに関する情報として権利手数料の情報を含んでおり，
前記管理コンピュータは，
前記３Ｄ印刷用データ記憶部に記憶する前記３Ｄ印刷用データの売上の情報と前記権利手数料とを演算して，前記許諾権者に対する権利手数料の額を算出する，
ことを特徴とする請求項１または請求項２に記載の３Ｄ印刷用データ取引システム。
【請求項４】
前記使用許諾コンテンツ審査処理部は，
前記許諾権者が利用するコンピュータから，３Ｄ印刷用データに関する情報についての非公開とする要求を受け付けると，前記３Ｄ印刷用データ記憶部に記憶する，前記３Ｄ印刷用データに関する情報を非公開に変更する，
ことを特徴とする請求項１から請求項３のいずれかに記載の３Ｄ印刷用データ取引システム。
【請求項５】
前記使用許諾コンテンツ記憶部は，
使用許諾の対象となるコンテンツに対応づけて，そのコンテンツの使用を許可しないユーザに関する情報を記憶しており，
前記３Ｄ印刷用データ登録処理部は，
前記作成者が利用するコンピュータから，使用許諾コンテンツの３Ｄ印刷用データの登録要求を受け付けると，前記使用許諾コンテンツ記憶部に記憶する，前記使用許諾コンテンツについての使用を許可しないユーザに前記作成者が該当するかを照合し，該当する場合には，前記作成者が利用するコンピュータから３Ｄ印刷用データの登録を受け付けない，
ことを特徴とする請求項１から請求項４のいずれかに記載の３Ｄ印刷用データ取引システム。
【請求項６】
前記使用許諾コンテンツ記憶部は，
使用許諾の対象となるコンテンツに対応づけて，そのコンテンツの使用を許可しないユーザに関する情報を記憶しており，
前記３Ｄ印刷用データ登録処理部は，
前記作成者が利用するコンピュータから，使用許諾コンテンツの３Ｄ印刷用データの登録要求を受け付けると，前記使用許諾コンテンツ記憶部に記憶する，前記使用許諾コンテンツの許諾権者のその使用許諾コンテンツおよびほかの使用許諾コンテンツについての，使用を許可しないユーザに前記作成者が該当するかを照合し，該当する場合には，前記作成者が利用するコンピュータから３Ｄ印刷用データの登録を受け付けない，
ことを特徴とする請求項１から請求項４のいずれかに記載の３Ｄ印刷用データ取引システム。
【請求項７】
前記３Ｄ印刷用データ登録処理部は，
一つのコンテンツについて複数のパーツからなる３Ｄ印刷用データの登録要求を受け付ける場合，前記作成者が利用するコンピュータから，各パーツの３Ｄ印刷用データについて関連性識別情報で関連づけて前記３Ｄ印刷用データ記憶部に記憶させ，
前記使用許諾コンテンツ審査処理部は，
前記複数のパーツからなるコンテンツについて，前記許諾権者が利用するコンピュータから承認通知を受け付けると，前記関連性識別情報で関連づけられた各パーツの３Ｄ印刷用データの一部または全部を公開して取引可能とする，
ことを特徴とする請求項１から請求項６のいずれかに記載の３Ｄ印刷用データ取引システム。
【請求項８】
前記３Ｄ印刷用データ登録処理部は，
前記複数のパーツから３Ｄ印刷用データの登録要求を受け付ける場合，各パーツを組み合わせたコンテンツの全体画像を受け付けて，前記関連性識別情報に関連づけて前記３Ｄ印刷用データ記憶部に記憶させ，
前記使用許諾コンテンツ審査処理部は，
前記複数のパーツからなるコンテンツについて，前記３Ｄ印刷用データ記憶部に記憶させた全体画像を前記許諾権者が利用するコンピュータに送ることで，前記全体画像の関連性識別情報に関連づけられた各パーツの３Ｄ印刷用データの審査を行わせる，
ことを特徴とする請求項７に記載の３Ｄ印刷用データ取引システム。
【請求項９】
前記管理コンピュータは，
３Ｄ印刷用データの購入を希望する購入者が利用するコンピュータから，３Ｄ印刷用データの購入要求を受け付け，前記３Ｄ印刷用データ記憶部に記憶する３Ｄ印刷用データをダウンロードさせる３Ｄ印刷用データ購入処理部，
をさらに備えることを特徴とする請求項１から請求項８のいずれかに記載の３Ｄ印刷用データ取引システム。
【請求項１０】
３Ｄ印刷用データ取引システムは，
３Ｄ印刷用データの作成者が利用するコンピュータから，前記３Ｄ印刷用データに関する情報を受け付ける３Ｄ印刷用データ登録処理部と，
コンテンツの使用許諾に関する審査処理を行う使用許諾コンテンツ審査処理部と，
を備えており，
前記使用許諾コンテンツ審査処理部は，
前記３Ｄ印刷用データに関する情報を受け付けた後，前記使用するコンテンツの許諾権者に対して，前記受け付けた３Ｄ印刷用データの審査依頼を通知し，
前記許諾権者が利用するコンピュータから承認の通知を受けた場合，前記受け付けた３Ｄ印刷用データに関する情報の一部または全部を公開して取引可能とし，
前記許諾権者が利用するコンピュータから不承認の通知を受けた場合，前記受け付けた３Ｄ印刷用データに関する情報を非公開として取引の対象から除外する，
ことを特徴とする３Ｄ印刷用データ取引システム。
【請求項１１】
管理コンピュータを，
３Ｄ印刷用データの作成者が利用するコンピュータから，３Ｄ印刷用データを含む３Ｄ印刷用データに関する情報を受け付け，前記３Ｄ印刷用データに関する情報を記憶する３Ｄ印刷用データ記憶部に記憶させる３Ｄ印刷用データ登録処理部，
コンテンツの許諾権者が利用するコンピュータから，使用許諾の対象とするコンテンツに関する情報を受け付け，使用許諾の対象とするコンテンツに関する情報を記憶する使用許諾コンテンツ記憶部に記憶させる使用許諾コンテンツ登録処理部，
前記コンテンツの使用許諾に関する審査処理を行う使用許諾コンテンツ審査処理部，
として機能させる３Ｄ印刷用データ取引プログラムであって，
前記作成者が利用するコンピュータから受け付けた３Ｄ印刷用データがオリジナルコンテンツの場合には一部または全部を公開して取引可能とし，
前記作成者が利用するコンピュータから受け付けた３Ｄ印刷用データが使用許諾コンテンツの場合には前記コンテンツの許諾権者からの承認通知を受けた後に一部または全部を公開して取引可能とする，
ことを特徴とする３Ｄ印刷用データ取引プログラム。
【請求項１２】
管理コンピュータを，
３Ｄ印刷用データの作成者が利用するコンピュータから，前記３Ｄ印刷用データに関する情報を受け付ける３Ｄ印刷用データ登録処理部，
コンテンツの使用許諾に関する審査処理を行う使用許諾コンテンツ審査処理部，
として機能させる３Ｄ印刷用データ取引プログラムであって，
前記使用許諾コンテンツ審査処理部は，
前記３Ｄ印刷用データに関する情報を受け付けた後，前記使用するコンテンツの許諾権者に対して，前記受け付けた３Ｄ印刷用データの審査依頼を通知し，
前記許諾権者が利用するコンピュータから承認の通知を受けた場合，前記受け付けた３Ｄ印刷用データに関する情報の一部または全部を公開して取引可能とし，
前記許諾権者が利用するコンピュータから不承認の通知を受けた場合，前記受け付けた３Ｄ印刷用データに関する情報を非公開として取引の対象から除外する，
ことを特徴とする３Ｄ印刷用データ取引プログラム。
【発明の詳細な説明】
【技術分野】
【０００１】
本発明は３Ｄプリンタで造形物を出力するために用いる３Ｄ印刷用データを取引する３Ｄ印刷用データ取引システムに関する。
【背景技術】
【０００２】
近年，３Ｄプリンタと呼ばれる造形物を３次元で出力することのできる出力装置が個人向け，企業向けで販売され，普及の兆しを見せている。３Ｄプリンタは３次元の造形物を出力できる点が，従来のプリンタとは大幅に異なる。そのため，立体的なさまざまな造形物を出力できる。
【０００３】
３Ｄプリンタで造形物を出力するためには，造形物の形状や色彩に関する情報が含まれる３ＤＣＡＤや３ＤＣＧなどの情報（以下，「３Ｄ印刷用データ」という）が必要となる。そしてこの３Ｄ印刷用データに基づいて，光造形法や粉末法，熱溶解積層法（ＦＤＭ法），シート積層法，インクジェット法などの各種方法を用いることで，造形物が３Ｄプリンタで出力される。
【０００４】
３Ｄプリンタではさまざまな形状の造形物を出力することができる。そのため，製品の試作品を作成する用途のほか，医療分野や建築分野など，さまざまな分野，目的での利用が検討されている。また，個人利用ではフィギュアなどを作成することもある。そのため，フィギュアを出力するための３Ｄ印刷用データを作成し，それを取引することが望まれる場合もある。
【０００５】
自らが作成したキャラクタをもとに３Ｄ印刷用データを作成し，それに基づき３次元化したフィギュアを出力する場合であれば問題はないが，アニメーションや漫画などに登場するキャラクタなどのコンテンツの３Ｄ印刷用データを権利者に無断で作成し３次元化したフィギュアを出力する場合には，そのコンテンツの著作権や商品化権を有する者の権利を侵害する可能性がある。しかし，かかる権利が従来の３Ｄ印刷用データ取引システムで十分に管理できているとはいえない。
【０００６】
一方で，自らが作成したキャラクタの３Ｄ印刷用データの取引のみでは，需要者の意欲を満足することができず，とくにアニメーションや漫画などのキャラクタなどの３Ｄ印刷用データの流通が，取引の活発化のためには必要である。しかしながら，上述のように，著作権や商品化権などの問題があることから，それらのコンテンツに対して権利を有する者は，３Ｄ印刷用データに対する許諾を与えることに消極的である。
【０００７】
そのため，たとえば下記特許文献１では著作権を管理するための３Ｄバーコードを作成し，それを造形物に合成することで３Ｄ印刷用データの著作権保護を図るシステムが開示されている。
【先行技術文献】
【特許文献】
【０００８】
【特許文献１】特開２０１５−８２６７８号公報
【発明の概要】
【発明が解決しようとする課題】
【０００９】
特許文献１の発明を用いた場合，３Ｄ印刷用データで出力される造形物について，３Ｄバーコードを埋め込むことで著作権の管理を行うことができる。しかしながら，３Ｄ印刷用データの造形物の管理を行うことができても，３Ｄ印刷用データそのものの管理を行うことはできない。
【００１０】
従来，個人クリエイターなどが作成したフィギュアをイベントなどで販売している実態がある。そのような場合，当日版権システムとよばれる権利処理の方法が採られている。当日版権システムとは，イベントなどでキャラクターのフィギュアを作成，販売することを希望する個人クリエイターが，イベントの主催者を通じて，当該キャラクターの著作権や商品化権を有する者から，イベントの開催期間中，イベント会場のみで商品として展示，販売することの許諾を受ける権利処理の方法である。
【００１１】
しかし当日版権システムではイベントなどに限定されているため，イベント以外でフィギュアなどを販売することはできず，また簡略化されているとはいえ，申請や管理が煩雑であったりする。また，権利者は手続の手間が大きい割に，得られるロイヤリティは低額である。そのため，権利者にとっては積極的に展開する意欲に欠けるものとなっている。
【００１２】
イベント以外でも販売するためには権利者と個別契約を締結する必要があるが，個別契約のため，許諾の手続に手間がかかる。また個人にとっては個別契約を締結すること自体，敷居が高いものとなっている。
【００１３】
そのため，効率的な著作権，商品化権の管理ができるとともに，フィギュアなどの３Ｄ印刷用データの積極的な流通につながるためのシステムが望まれている。
【課題を解決するための手段】
【００１４】
本発明者は上記課題に鑑み，本発明の３Ｄ印刷用データ取引システムを発明した。
【００１５】
第１の発明は，３Ｄプリンタで造形物を出力するための３Ｄ印刷用データを取引するための３Ｄ印刷用データ取引システムであって，前記３Ｄ印刷用データ取引システムは，３Ｄ印刷用データを含む，その３Ｄ印刷用データに関する情報を記憶する３Ｄ印刷用データ記憶部と，３Ｄ印刷用データの作成者が利用するコンピュータから，前記３Ｄ印刷用データに関する情報を受け付け，前記３Ｄ印刷用データ記憶部に記憶させる３Ｄ印刷用データ登録処理部と，使用許諾の対象とするコンテンツに関する情報を記憶する使用許諾コンテンツ記憶部と，コンテンツの許諾権者が利用するコンピュータから，使用許諾の対象とするコンテンツに関する情報を受け付け，前記使用許諾コンテンツ記憶部に記憶させる使用許諾コンテンツ登録処理部と，前記コンテンツの使用許諾に関する審査処理を行う使用許諾コンテンツ審査処理部と，を備えており，前記作成者が利用するコンピュータから受け付けた３Ｄ印刷用データがオリジナルコンテンツの場合には一部または全部を公開して取引可能とし，前記作成者が利用するコンピュータから受け付けた３Ｄ印刷用データが使用許諾コンテンツの場合には前記コンテンツの許諾権者からの承認通知を受けた後に一部または全部を公開して取引可能とする，３Ｄ印刷用データ取引システムである。
【００１６】
本発明のように構成することで，３Ｄ印刷用データについて，自らが正当な使用権限を有するコンテンツについての３Ｄ印刷用データは，そのまま取引可能とする一方，キャラクタなどのコンテンツの使用の許諾権限を有する許諾権者による承認が必要な３Ｄ印刷用データについては，許諾権者による承認がなされた場合に当該３Ｄ印刷用データの取引が可能となる。そのため，効率的な著作権，商品化権の管理ができる。またかかる管理が行えるので，３Ｄ印刷用データの積極的な流通につながることとなる。
【００１７】
上述の発明において，前記３Ｄ印刷用データ登録処理部は，前記使用許諾の対象とするコンテンツに対する３Ｄ印刷用データの登録を受け付ける場合，前記許諾権者が利用するコンピュータから，使用するコンテンツの選択と，登録する３Ｄ印刷用データに関する情報を受け付け，前記使用許諾コンテンツ審査処理部は，前記３Ｄ印刷用データに関する情報を受け付けた後，前記使用するコンテンツの許諾権者に対して審査依頼を通知し，前記許諾権者が利用するコンピュータから承認の通知を受けた場合，前記３Ｄ印刷用データ記憶部に記憶させた３Ｄ印刷用データに関する情報の一部または全部を公開し，前記許諾権者が利用するコンピュータから不承認の通知を受けた場合，前記３Ｄ印刷用データ記憶部に記憶させた３Ｄ印刷用データに関する情報を非公開とする，３Ｄ印刷用データ取引システムのように構成することができる。
【００１８】
本発明のように構成することで，許諾権者による審査処理を実行することができる。
【００１９】
上述の発明において，前記使用許諾コンテンツ登録処理部は，前記使用許諾の対象とするコンテンツに関する情報として権利手数料の情報を含んでおり，前記管理コンピュータは，前記３Ｄ印刷用データ記憶部に記憶する前記３Ｄ印刷用データの売上の情報と前記権利手数料とを演算して，前記許諾権者に対する権利手数料の額を算出する，３Ｄ印刷用データ取引システムのように構成することができる。
【００２０】
本発明のように構成することで，使用許諾された３Ｄ印刷用データの売上があった場合，著作権料などの権利手数料を許諾権者が収受することができ，正当に対価を得ることができる。
【００２１】
上述の発明において，前記使用許諾コンテンツ審査処理部は，前記許諾権者が利用するコンピュータから，３Ｄ印刷用データに関する情報についての非公開とする要求を受け付けると，前記３Ｄ印刷用データ記憶部に記憶する，前記３Ｄ印刷用データに関する情報を非公開に変更する，３Ｄ印刷用データ取引システムのように構成することができる。
【００２２】
一旦，許諾がなされたとしても，その後，無断で改変等がなされる可能性がある。そのような場合，本発明の処理を実行することで，取引の対象から除外することができ，許諾権者の権利を保護することができる。
【００２３】
上述の発明において，前記使用許諾コンテンツ記憶部は，使用許諾の対象となるコンテンツに対応づけて，そのコンテンツの使用を許可しないユーザに関する情報を記憶しており，前記３Ｄ印刷用データ登録処理部は，前記作成者が利用するコンピュータから，使用許諾コンテンツの３Ｄ印刷用データの登録要求を受け付けると，前記使用許諾コンテンツ記憶部に記憶する，前記使用許諾コンテンツについての使用を許可しないユーザに前記作成者が該当するかを照合し，該当する場合には，前記作成者が利用するコンピュータから３Ｄ印刷用データの登録を受け付けない，３Ｄ印刷用データ取引システムのように構成することができる。
【００２４】
本発明のように構成することで，コンテンツについて使用を許可しないユーザを設定することができる。この設定を行うことで，３Ｄ印刷用データの登録そのものが行えなくなるので，許諾権者による審査を行わずにすむこととなり，許諾権者の負担を軽減することができる。
【００２５】
上述の発明において，前記使用許諾コンテンツ記憶部は，使用許諾の対象となるコンテンツに対応づけて，そのコンテンツの使用を許可しないユーザに関する情報を記憶しており，前記３Ｄ印刷用データ登録処理部は，前記作成者が利用するコンピュータから，使用許諾コンテンツの３Ｄ印刷用データの登録要求を受け付けると，前記使用許諾コンテンツ記憶部に記憶する，前記使用許諾コンテンツの許諾権者のその使用許諾コンテンツおよびほかの使用許諾コンテンツについての，使用を許可しないユーザに前記作成者が該当するかを照合し，該当する場合には，前記作成者が利用するコンピュータから３Ｄ印刷用データの登録を受け付けない，３Ｄ印刷用データ取引システムのように構成することができる。
【００２６】
あるコンテンツについて使用許可がされないと判断されたユーザは，当該許諾権者が管理するほかのコンテンツについても使用許可がされないと判断されることが一般的である。そのため，本発明のように構成することで，あるコンテンツについて使用許可がされないユーザとして登録されると，当該許諾権者についてのほかのコンテンツについても３Ｄ印刷用データの登録が行えなくなる。これによって，許諾権者の審査の負担を大幅に軽減することができる。
【００２７】
上述の発明において，前記３Ｄ印刷用データ登録処理部は，一つのコンテンツについて複数のパーツからなる３Ｄ印刷用データの登録要求を受け付ける場合，前記作成者が利用するコンピュータから，各パーツの３Ｄ印刷用データについて関連性識別情報で関連づけて前記３Ｄ印刷用データ記憶部に記憶させ，前記使用許諾コンテンツ審査処理部は，前記複数のパーツからなるコンテンツについて，前記許諾権者が利用するコンピュータから承認通知を受け付けると，前記関連性識別情報で関連づけられた各パーツの３Ｄ印刷用データの一部または全部を公開して取引可能とする，３Ｄ印刷用データ取引システムのように構成することができる。
【００２８】
また，上述の発明においては，前記３Ｄ印刷用データ登録処理部は，前記複数のパーツから３Ｄ印刷用データの登録要求を受け付ける場合，各パーツを組み合わせたコンテンツの全体画像を受け付けて，前記関連性識別情報に関連づけて前記３Ｄ印刷用データ記憶部に記憶させ，前記使用許諾コンテンツ審査処理部は，前記複数のパーツからなるコンテンツについて，前記３Ｄ印刷用データ記憶部に記憶させた全体画像を前記許諾権者が利用するコンピュータに送ることで，前記全体画像の関連性識別情報に関連づけられた各パーツの３Ｄ印刷用データの審査を行わせる，３Ｄ印刷用データ取引システムのように構成することができる。
【００２９】
３Ｄ印刷用データに基づいて造形物を作成する場合，造形物の大きさは，通常は，３Ｄプリンタで出力可能な大きさに制限される。そのため，大きな造形物を３Ｄプリンタで作成したい場合，作ることができない。そこで一つの造形物について複数のパーツに分解し，パーツごとの３Ｄ印刷用データを用いて３Ｄプリンタで各パーツの造形物を作成し，それらパーツの造形物を組み合わせて大きな造形物とすることが考えられる。また，３Ｄプリンタで作成した造形物に色を付けたい場合，全体として一つの造形物として作成されていると，色を塗りにくい部分がでてくる。そこで，上述と同様に，複数のパーツに分解した３Ｄ印刷用データを用いて３Ｄプリンタで各パーツの造形物を作成し，パーツごとに色を塗ったあと，それらパーツを組み合わせて一つの造形物を作成することが考えられる。
【００３０】
このように，３Ｄプリンタで大きな造形物を作りたい場合や，造形物に色をきれいに塗りたい場合などのように，全体として一つの３Ｄ印刷用データではなく，パーツごとの３Ｄ印刷用データに基づいて３Ｄプリンタでパーツの造形物を作成し，それら造形物を組み合わせるという需要が存在する。
【００３１】
しかし，３Ｄ印刷用データ単位での審査をする場合，使用許諾コンテンツについて，上述のパーツごとに分解した３Ｄ印刷用データの審査を行うと，審査が煩雑となったり，各パーツを組み合わせた全体が想像できない，といったことが想定される。
【００３２】
そこでこれらの発明のように構成することで，一つのコンテンツに各パーツを関連づけて，審査の結果，承認された場合には，それらをまとめて公開して取引可能とすることができる。さらに，審査の際には，許諾権者は各パーツが組み合わせられた全体画像を確認することができるので，全体をイメージしながら審査をすることができ，審査の煩雑さも解消することができる。
【００３３】
上述の発明において，前記管理コンピュータは，３Ｄ印刷用データの購入を希望する購入者が利用するコンピュータから，３Ｄ印刷用データの購入要求を受け付け，前記３Ｄ印刷用データ記憶部に記憶する３Ｄ印刷用データをダウンロードさせる３Ｄ印刷用データ購入処理部，をさらに備える３Ｄ印刷用データ取引システムのように構成することができる。
【００３４】
３Ｄ印刷用データの取引形態としては，本発明のようなダウンロードによる処理が好ましい。
【００３５】
本発明のように構成しても，第１の発明と同様の技術的効果を得ることができる。すなわち，３Ｄ印刷用データ取引システムは，３Ｄ印刷用データの作成者が利用するコンピュータから，前記３Ｄ印刷用データに関する情報を受け付ける３Ｄ印刷用データ登録処理部と，コンテンツの使用許諾に関する審査処理を行う使用許諾コンテンツ審査処理部と，を備えており，前記使用許諾コンテンツ審査処理部は，前記３Ｄ印刷用データに関する情報を受け付けた後，前記使用するコンテンツの許諾権者に対して，前記受け付けた３Ｄ印刷用データの審査依頼を通知し，前記許諾権者が利用するコンピュータから承認の通知を受けた場合，前記受け付けた３Ｄ印刷用データに関する情報の一部または全部を公開して取引可能とし，前記許諾権者が利用するコンピュータから不承認の通知を受けた場合，前記受け付けた３Ｄ印刷用データに関する情報を非公開として取引の対象から除外する，３Ｄ印刷用データ取引システムである。
【００３６】
第１の発明は，本発明のプログラムをコンピュータで読み込ませることで実現できる。すなわち，管理コンピュータを，３Ｄ印刷用データの作成者が利用するコンピュータから，３Ｄ印刷用データを含む３Ｄ印刷用データに関する情報を受け付け，前記３Ｄ印刷用データに関する情報を記憶する３Ｄ印刷用データ記憶部に記憶させる３Ｄ印刷用データ登録処理部，コンテンツの許諾権者が利用するコンピュータから，使用許諾の対象とするコンテンツに関する情報を受け付け，使用許諾の対象とするコンテンツに関する情報を記憶する使用許諾コンテンツ記憶部に記憶させる使用許諾コンテンツ登録処理部，前記コンテンツの使用許諾に関する審査処理を行う使用許諾コンテンツ審査処理部，として機能させる３Ｄ印刷用データ取引プログラムであって，前記作成者が利用するコンピュータから受け付けた３Ｄ印刷用データに関する情報を，前記３Ｄ印刷用データ記憶部に記憶させ，前記受け付けた３Ｄ印刷用データがオリジナルコンテンツの場合には公開して取引可能とし，前記受け付けた３Ｄ印刷用データが使用許諾コンテンツの場合には前記コンテンツの許諾権者からの承認通知を受けた後に公開して取引可能とする，３Ｄ印刷用データ取引プログラムである。
【００３７】
また，本発明のプログラムをコンピュータで読み込ませても，第１の発明と同様の技術的効果を得ることができる。すなわち，管理コンピュータを，３Ｄ印刷用データの作成者が利用するコンピュータから，前記３Ｄ印刷用データに関する情報を受け付ける３Ｄ印刷用データ登録処理部，コンテンツの使用許諾に関する審査処理を行う使用許諾コンテンツ審査処理部，として機能させる３Ｄ印刷用データ取引プログラムであって，前記使用許諾コンテンツ審査処理部は，前記３Ｄ印刷用データに関する情報を受け付けた後，前記使用するコンテンツの許諾権者に対して，前記受け付けた３Ｄ印刷用データの審査依頼を通知し，前記許諾権者が利用するコンピュータから承認の通知を受けた場合，前記受け付けた３Ｄ印刷用データに関する情報の一部または全部を公開して取引可能とし，前記許諾権者が利用するコンピュータから不承認の通知を受けた場合，前記受け付けた３Ｄ印刷用データに関する情報を非公開として取引の対象から除外する，３Ｄ印刷用データ取引プログラムである。
【発明の効果】
【００３８】
本発明の３Ｄ印刷用データ取引システムを用いることで，効率的な著作権，商品化権の管理ができるとともに，フィギュアなどの３Ｄ印刷用データの取引を円滑に行うことができる取引システムが実現できる。
【図面の簡単な説明】
【００３９】
【図１】本発明の３Ｄ印刷用データ取引システムの全体の概念の一例を模式的に示す図である。
【図２】本発明の３Ｄ印刷用データ取引システムで用いるコンピュータのハードウェア構成の一例を模式的に示す図である。
【図３】本発明の３Ｄ印刷用データ取引システムにおける新規登録処理の処理プロセスの一例を模式的に示すフローチャートである。
【図４】本発明の３Ｄ印刷用データ取引システムにおけるプロフィール設定処理の処理プロセスの一例を模式的に示すフローチャートである。
【図５】本発明の３Ｄ印刷用データ取引システムにおける使用許諾コンテンツの登録処理の処理プロセスの一例を模式的に示すフローチャートである。
【図６】本発明の３Ｄ印刷用データ取引システムにおける３Ｄ印刷用データの登録処理の処理プロセスの一例を模式的に示すフローチャートである。
【図７】本発明の３Ｄ印刷用データ取引システムにおける使用許諾コンテンツの承認処理の処理プロセスの一例を模式的に示すフローチャートである。
【図８】本発明の３Ｄ印刷用データ取引システムにおける３Ｄ印刷用データの購入処理の処理プロセスの一例を模式的に示すフローチャートである。
【図９】トップページ画面の一例を模式的に示す図である。
【図１０】新規登録用のユーザ名，パスワードの入力画面の一例を模式的に示す図である。
【図１１】ログイン画面の一例を模式的に示す図である。
【図１２】マイページ画面の一例を模式的に示す図である。
【図１３】プロフィール入力画面の一例を模式的に示す図である。
【図１４】マイページ画面における「コンテンツ保持者の方」が選択されてプルダウンメニューが表示された状態の画面の一例を模式的に示す図である。
【図１５】使用許諾コンテンツ登録画面の一例を模式的に示す図である。
【図１６】マイページ画面における「３Ｄデータの投稿と管理」が選択されてプルダウンメニューが表示された状態の画面の一例を模式的に示す図である。
【図１７】オリジナルコンテンツによる３Ｄ印刷用データ登録画面の一例を模式的に示す図である。
【図１８】使用するコンテンツの選択画面の一例を模式的に示す図である。
【図１９】使用許諾コンテンツによる３Ｄ印刷用データの登録画面の一例を模式的に示す図である。
【図２０】審査依頼の電子メールの一例を模式的に示す図である。
【図２１】使用許諾コンテンツ一覧画面の一例を模式的に示す図である。
【図２２】利用中の３Ｄ印刷用データ一覧画面の一例を模式的に示す図である。
【図２３】審査画面の一例を模式的に示す図である。
【図２４】承認されたことを示す電子メールの一例を模式的に示す図である。
【図２５】承認されなかったことを示す電子メールの一例を模式的に示す図である。
【図２６】ログイン後のトップページ画面の一例を模式的に示す図である。
【図２７】３Ｄ印刷用データの詳細情報画面の一例を模式的に示す図である。
【図２８】コンテンツの使用許諾がされていないユーザに対して表示する，使用するコンテンツの選択画面の一例を模式的に示す図である。
【図２９】利用中のユーザの一例を模式的に示す図である。
【図３０】複数のパーツの３Ｄ印刷用データをまとめて一つのキャラクタに関連づけて登録する場合の３Ｄ印刷用データの登録画面の一例を模式的に示す図である。
【図３１】複数のパーツの３Ｄ印刷用データをまとめて一つのキャラクタに関連づけて登録する場合の３Ｄ印刷用データの登録画面の一例を模式的に示す図である。
【図３２】利用中の３Ｄ印刷用データ一覧画面のほかの一例を模式的に示す図である。
【図３３】複数のパーツの３Ｄ印刷用データを，まとめて一つのキャラクタとして審査する場合の審査画面のほかの一例を模式的に示す図である。
【発明を実施するための形態】
【００４０】
本発明の３Ｄ印刷用データ取引システム１の全体の概念図の一例を図１に模式的に示す。３Ｄ印刷用データ取引システム１では，３Ｄ印刷用データの取引の場を提供するためのコンピュータである管理サーバと，３Ｄ印刷用データを購入する者が利用する購入者端末３と，３Ｄ印刷用データで用いるコンテンツの使用の許諾権を有する者（法人，個人を含む）が利用する許諾権者端末４と，３Ｄ印刷用データを作成する者が利用する作成者端末５とが用いられる。
【００４１】
管理サーバは，サーバやパーソナルコンピュータなどの各種のコンピュータにより実現される。図２にコンピュータのハードウェア構成の一例を示す。管理コンピュータ２などのコンピュータは，プログラムの演算処理を実行するＣＰＵなどの演算装置７０と，情報を記憶するＲＡＭやハードディスクなどの記憶装置７１と，ディスプレイなどの表示装置７２と，キーボードやポインティングデバイス（マウスやテンキーなど）などの入力装置７３と，演算装置７０の処理結果や記憶装置７１に記憶する情報をインターネットやＬＡＮなどのネットワークを介して送受信する通信装置７４とを有している。
【００４２】
なお，図１では管理コンピュータ２が一台のコンピュータで実現される場合を示したが，複数台のコンピュータにその機能が分散配置され，実現されても良い。また，本発明における各手段は，その機能が論理的に区別されているのみであって，物理上あるいは事実上は同一の領域を為していても良い。
【００４３】
本発明における各処理部，記憶部は、その機能が論理的に区別されているのみであって、物理上あるいは事実上は同一の領域をなしていても良い。またデータベースの代わりにデータファイルであっても良いことは言うまでもなく，データベースとの記載にはデータファイルも含んでいる。
【００４４】
管理コンピュータ２は，ユーザ登録処理部２０とユーザ情報記憶部２１と使用許諾コンテンツ登録処理部２２と使用許諾コンテンツ記憶部２３と３Ｄ印刷用データ登録処理部２４と３Ｄ印刷用データ記憶部２５と３Ｄ印刷用データ購入処理部２６と使用許諾コンテンツ審査処理部２７とを有する。
【００４５】
ユーザ登録処理部２０は，３Ｄ印刷用データの購入者，コンテンツの使用の許諾権を有する許諾権者，３Ｄ印刷用データの作成者のうち，いずれかまたは複数を兼ねる利用者をユーザとして登録する処理を実行する。また新規のユーザ登録の処理の際に，ユーザの属性情報であるプロフィールの設定処理を実行する。
【００４６】
ユーザ情報記憶部２１は，ユーザに関する情報を記憶する。たとえばユーザの識別情報，氏名，ハンドルネーム（ウェブサイト上で当該ユーザを示す名称），年齢や生年月日，振込先となる銀行口座の情報などの属性情報のほか，ユーザが購入者として購入した３Ｄ印刷用データの購入（ダウンロード）履歴，ユーザが作成者として登録（アップロード）した３Ｄ印刷用データの登録履歴，ユーザが許諾権者として許諾したコンテンツの履歴，許諾したコンテンツに対する３Ｄ印刷用データの許諾履歴などを記憶している。購入者，作成者，許諾権者に関する情報は，あらかじめユーザが購入者，作成者，許諾権者を選択させている場合には，対応する情報のみを記憶させれば良い。
【００４７】
使用許諾コンテンツ登録処理部２２は，コンテンツの許諾権者であるユーザが，キャラクタなどのコンテンツについて，著作権や商品化権などの何らかの使用の許諾権限を有しており，３Ｄ印刷用データの作成者に，そのコンテンツを利用した３Ｄ印刷用データを作成させることを許諾する場合に，使用許諾コンテンツの登録処理を行う。使用許諾コンテンツの登録処理の際には，許諾権者であるユーザの識別情報，対象とするコンテンツの画像情報（コンテンツ画像情報），そのコンテンツのキャラクタ名，作品名，手数料，コンテンツに関する説明，３Ｄ印刷用データの作成にあたり禁止する事項などの詳細情報，年齢制限や許諾期限などの公開設定に関する情報の入力を，許諾権者端末４から受け付ける。
【００４８】
使用許諾コンテンツ記憶部２３は，使用許諾コンテンツ登録処理部２２で許諾権者端末４から受け付けた，コンテンツ画像，詳細情報，公開設定の情報のほか，許諾権者であるユーザの識別情報などを対応づけて記憶している。
【００４９】
３Ｄ印刷用データ登録処理部２４は，３Ｄ印刷用データを作成したユーザ（作成者）が，作成した３Ｄ印刷用データを登録（アップロード）する処理を実行する。この際には，作成したユーザの識別情報，３Ｄ印刷用データのタイトル，３Ｄ印刷用データ，販売価格，３Ｄ印刷用データに関する説明，カテゴリ，３Ｄ印刷用データの画像情報（３Ｄ印刷用データ画像情報）などのほか，ライセンスに関する情報，年齢制限に関する情報などの入力を，作成者端末５から受け付ける。
【００５０】
３Ｄ印刷用データ記憶部２５は，３Ｄ印刷用データ登録処理部２４で作成者端末５から受け付けた情報のほか，その３Ｄ印刷用データのステータス（「公開中」，「非公開」，「審査待ち」などの情報），作成者であるユーザの識別情報などを対応づけて記憶している。
【００５１】
３Ｄ印刷用データ購入処理部２６は，購入者端末３から３Ｄ印刷用データの表示要求を受け付けると，３Ｄ印刷用データ記憶部２５に記憶している３Ｄ印刷用データのうち，公開中として設定されている３Ｄ印刷用データを抽出し，購入者端末３に表示させることで，当該ユーザ（購入者）が購入可能な３Ｄ印刷用データを選択可能とさせる。そして購入者端末３から３Ｄ印刷用データの購入要求を受け付けると，３Ｄ印刷用データの購入処理を実行する。そして，購入した３Ｄ印刷用データを当該購入者端末３にダウンロードさせる。
【００５２】
使用許諾コンテンツ審査処理部２７は，３Ｄ印刷用データを作成者であるユーザが登録（アップロード）する際に，それがオリジナルコンテンツではなく，コンテンツ許諾権者の許諾が必要な場合，コンテンツ許諾権者に，当該アップロードした３Ｄ印刷用データを公開させても良いかの審査処理を実行する。
【実施例１】
【００５３】
つぎに本発明の３Ｄ印刷用データ取引システム１の処理プロセスを，図３乃至図８のフローチャートを用いて説明する。
【００５４】
本発明の３Ｄ印刷用データ取引システム１を利用する場合，あらかじめユーザ登録をしておく必要がある。そのため，利用を希望するユーザは，自らが操作するコンピュータ（購入者端末３，許諾権者端末４，作成者端末５）から所定の方法で，３Ｄ印刷用データ取引システム１にアクセスし，図９に示すトップページの画面を表示させる。そして，トップページから「新規ユーザ登録」を選択する。この選択を受け付けると（Ｓ１００），図１０に示すように，新規登録用のユーザ名（ユーザＩＤ），パスワードの入力画面が表示される。
【００５５】
図１０に，ユーザは自らのユーザ名，パスワードの入力後，利用規約に同意することを選択した上で，「登録する」を押下すると，当該ユーザ名およびパスワードがユーザ情報として，ユーザが操作するコンピュータから管理コンピュータ２に送られ，ユーザ登録処理部２０でそれを受け付ける（Ｓ１２０）。ユーザ登録処理部２０でユーザ名およびパスワードを受け付けると，ユーザ情報記憶部２１にその情報を一時的に記憶させる。なお，ここではユーザ名を電子メールアドレスとしたが，それ以外に，任意に入力を受け付けても良い。その場合には，ユーザ情報として電子メールアドレスの入力をさらに受け付ける。
【００５６】
また，ユーザ登録処理部２０は，入力を受け付けたユーザ名である電子メールアドレスに対して，当該ユーザが実際に操作を行ったかを確認するための登録用のＵＲＬが付された電子メールを送信する（Ｓ１３０）。そしてこの電子メールを受け付けたユーザは，電子メールにおける登録用ＵＲＬを選択することで（Ｓ１４０），管理コンピュータ２に対して，ユーザが登録完了の操作を行った通知が送られ，それをユーザ登録処理部２０で受け付ける。これによって，ユーザ登録処理部２０は，ユーザ情報記憶部２１に一時的に記憶させたユーザ名およびパスワードを正規のユーザとして記憶させる（Ｓ１５０）。なお，登録用ＵＲＬが付された電子メールの送信から所定時間内に上記通知をユーザ登録処理部２０で受け付けない場合には，Ｓ１２０で受け付け，一時的にユーザ情報記憶部２１に記憶させたユーザ名およびパスワードを削除することが好ましい。
【００５７】
以上のような処理を実行することで，新規ユーザの登録処理が実行できる。
【００５８】
そして新規ユーザの登録処理では，ユーザとして登録されたに過ぎないので，さらにそのプロフィールの設定処理を実行する。すなわち，ユーザ登録をしていない場合には（Ｓ２１０），上述の新規登録処理を実行して新規登録を行う。一方，ユーザ登録をしている場合には（Ｓ２１０），トップページ（図９）から「ログイン」を選択して，ログイン処理を実行する（Ｓ２２０）。すなわち，図１１に示すログイン画面から，ユーザ名とパスワードなどの認証情報の入力が行われ，ユーザが利用するコンピュータから認証情報の入力を受け付けると，管理コンピュータ２は，ユーザ情報記憶部２１に記憶する認証情報と一致するか判定し，一致する場合には，図１２に示すマイページ画面（当該ユーザのためのウェブページ）を表示させる（Ｓ２２０）。一方，認証情報が一致しなかった場合には，エラーなどを表示させる。
【００５９】
そしてマイページにおける「プロフィール設定」の選択を受け付けることで，図１３に示すプロフィールを入力する画面を表示させる。このプロフィールには，ユーザの愛称であるハンドルネーム，プロフィールコメントなどの公開されるプロフィール情報のほか，本人確認情報としての氏名や会社名，生年月日，郵便番号，住所，電話番号，振込先情報としての金融機関名，支店，口座種別，口座番号，口座名義，メールマガジンやお知らせメールを受け取るか否かを示す配信設定などの情報がある。
【００６０】
ユーザが図１３に示すプロフィール設定の画面に表示される公開プロフィール，本人各員情報，振込先情報などの入力をして「変更する」などを押下すると，ユーザが利用するコンピュータからそれらの情報が送られ，ユーザ登録処理部２０で受け付け（Ｓ２４０），ユーザ情報記憶部２１に記憶される。
【００６１】
以上のような処理によってプロフィールの設定処理が実行できる。
【００６２】
つぎにキャラクタなどのコンテンツに著作権や商品化権などの使用の許諾権を有する許諾権者がユーザとして，そのコンテンツの使用許諾を与えることを登録する使用許諾コンテンツの登録処理を説明する。
【００６３】
許諾権者であるユーザが使用許諾コンテンツを登録する場合，利用するコンピュータ（許諾権者端末４）から所定の操作を行うことでログイン処理を実行する（Ｓ３１０）。すなわち，許諾権者端末４から図９に示すトップページ画面にアクセスし，「ログイン」を選択して図１１に示すログイン画面を表示させる。そしてログイン画面にユーザ名，パスワードなどの認証情報の入力を行う。入力された認証情報は，管理コンピュータ２で受け付け，ユーザ情報記憶部２１に記憶する認証情報と一致するかを判定し，一致する場合には，図１２に示すマイページ画面を表示させる。
【００６４】
そしてマイページ画面における「コンテンツ保持者の方」が選択されると，プルダウンメニューが表示され（図１４），その中から「使用許諾コンテンツの登録」を選択する。この選択が行われると，許諾権者端末４から使用許諾コンテンツの登録処理の要求が管理コンピュータ２に送られ，それを管理コンピュータ２の使用許諾コンテンツ登録処理部２２で受け付ける。
【００６５】
そして使用許諾コンテンツ登録処理部２２は，許諾権者端末４に対して，図１５に示す使用許諾コンテンツ登録画面を送り，表示させる（Ｓ３２０）。そして許諾権者は，許諾権者端末４に表示されている使用許諾コンテンツ登録画面の記載に従い，コンテンツ画像をアップロードをし（Ｓ３３０），コンテンツ詳細の入力をし（Ｓ３４０），コンテンツ公開設定の入力をする（Ｓ３５０）。そして「公開する」を選択すると，入力したコンテンツ詳細，コンテンツ公開設定の各情報が許諾権者端末４から管理コンピュータ２に送られ，管理コンピュータ２の使用許諾コンテンツ登録処理部２２でアップロードされたコンテンツ画像，コンテンツ詳細，コンテンツ公開設定の各情報を受け付ける（Ｓ３６０）。
【００６６】
使用許諾コンテンツ登録処理部２２は，受け付けた各情報を，許諾権者であるユーザの識別情報に対応づけて使用許諾コンテンツ記憶部２３に記憶させる。これによって，コンテンツ公開設定に従って，各ユーザに当該コンテンツの使用許諾の対象になっていることを公開することができる。
【００６７】
上述のコンテンツ画像とは，使用許諾するコンテンツの２次元画像であり，たとえばキャラクターの正面図などがある。またコンテンツ詳細とは使用許諾するキャラクター名，作品名，そのキャラクターを作成者が３Ｄ印刷用データとして作成し，それを販売した場合の売上に対する著作権や商品化権などの権利手数料，キャラクタなどのコンテンツについての説明，原作のイメージを壊す改変は認めないなどの３Ｄ印刷用データを作成することについての禁止事項，などがある。さらにコンテンツ公開設定とはそのコンテンツを使用許諾することを公開する範囲であり，年齢制限，許諾期限などがある。たとえば年齢制限として「制限なし」と設定すればすべての年齢のユーザに対して公開され，「１８歳以上」と設定すれば１８歳以上のユーザのみに公開される。また許諾期限とは，コンテンツを使用許諾する期限である。たとえば「１ヶ月」と設定すれば，公開してから１ヶ月を経過すると，使用許諾コンテンツ記憶部２３で公開されない設定に変更される。
【００６８】
以上の処理によって，使用許諾コンテンツの登録処理が行える。
【００６９】
つぎに３Ｄ印刷用データを作成した作成者が，作成した３Ｄ印刷用データを取引のために，３Ｄ印刷用データ取引システム１に登録する場合の処理を説明する。
【００７０】
３Ｄ印刷用データの作成者であるユーザが，作成した３Ｄ印刷用データを登録する場合，利用するコンピュータ（作成者端末５）から所定の操作を行うことでログイン処理を実行する（Ｓ４１０）。すなわち，作成者端末５から図９に示すトップページ画面にアクセスし，「ログイン」を選択して図１１に示すログイン画面を表示させる。そしてログイン画面にユーザ名，パスワードなどの認証情報の入力を行う。入力された認証情報は，管理コンピュータ２で受け付け，ユーザ情報記憶部２１に記憶する認証情報と一致するかを判定し，一致する場合には，図１２に示すマイページ画面を表示させる。
【００７１】
そしてマイページ画面における「３Ｄデータの投稿と管理」を選択してプルダウンメニューが表示され（図１６），作成者であるユーザは，自らが登録を行う３Ｄ印刷用データがオリジナルコンテンツに基づくか，使用許諾コンテンツに基づくかを判断し（Ｓ４２０），自らが作成したキャラクタなどのオリジナルコンテンツの場合，「「オリジナルコンテンツ」３Ｄデータの投稿」を選択する。一方，使用許諾コンテンツの場合，「使用許諾コンテンツ」３Ｄデータの投稿」を選択する。オリジナルコンテンツの３Ｄデータとは，３Ｄ印刷用データの作成にあたり，キャラクターなどのコンテンツについて自らが権利を有するものについて作成した３Ｄ印刷用データである。使用許諾コンテンツの３Ｄデータとは，使用許諾コンテンツとして登録されたコンテンツについて作成した３Ｄ印刷用データである。
【００７２】
「「オリジナルコンテンツ」３Ｄデータの投稿」が選択された場合，その選択が行われると，作成者端末５からオリジナルコンテンツの３Ｄ印刷用データの登録要求が管理コンピュータ２に送られ，それを管理コンピュータ２の３Ｄ印刷用データ登録処理部２４で受け付ける。
【００７３】
そして３Ｄ印刷用データ登録処理部２４は，作成者端末５に対して，図１７に示すオリジナルコンテンツによる３Ｄ印刷用データ登録画面を送り，表示させる（Ｓ４３０）。そして作成者は，作成者端末５で表示されているオリジナルコンテンツによる３Ｄ印刷用データ登録画面の記載に従い，３Ｄ印刷用データに関する情報の入力を行う（Ｓ４４０）。すなわち，登録する３Ｄ印刷用データのアップロードをし（Ｓ４４０１），３Ｄ印刷用データ画像情報（３Ｄ印刷用データに基づく２次元画像情報）のアップロードをし（Ｓ４４０２），３Ｄ印刷用データの詳細の入力をし（Ｓ４４０３），３Ｄデータの公開設定の情報の入力をする（Ｓ４４０４）。そして「公開する」を選択すると，入力した３Ｄデータの詳細，公開設定の各情報が作成者端末５から管理コンピュータ２に送られ，管理コンピュータ２の３Ｄ印刷用データ登録処理部２４でアップロードされた３Ｄ印刷用データ，３Ｄ印刷用データ画像情報，３Ｄ印刷用データの詳細，公開設定の各情報を受け付ける（Ｓ４５０）。
【００７４】
３Ｄ印刷用データ登録処理部２４は，受け付けた各情報を３Ｄ印刷用データ記憶部２５に記憶させる。これによって，３Ｄ印刷用データの公開設定にしたがって，各ユーザに当該３Ｄ印刷用データが公開されることとなる（Ｓ４６０）。また，３Ｄ印刷用データ登録処理部２４は，３Ｄ印刷用データ記憶部２５に記憶する３Ｄ印刷用データのステータスを「公開中」に変更する（Ｓ４７０）。
【００７５】
一方，Ｓ４２０において「「使用許諾コンテンツ」３Ｄデータの投稿」が選択された場合，その選択が行われると，作成者端末５から使用許諾コンテンツの３Ｄ印刷用データの登録要求が管理コンピュータ２に送られ，それを管理コンピュータ２の３Ｄ印刷用データ登録処理部２４で受け付ける。
【００７６】
そして３Ｄ印刷用データ登録処理部２４は，作成者端末５に対して，図１８に示す，使用するキャラクタ（コンテンツ）の選択画面を送り，作成者端末５から，使用するキャラクタの選択を受け付ける（Ｓ４８０）。この際に，３Ｄ印刷用データ登録処理部２４は，使用許諾コンテンツ記憶部２３に記憶している，使用許諾の対象となるコンテンツのうち，公開設定が当該ユーザの年齢，許諾期間を満たしているコンテンツを特定し，それに対応する情報を使用許諾コンテンツ記憶部２３から抽出して上記選択画面に表示させる。そして，作成者は，作成者端末５から，自らが作成した３Ｄ印刷用データの元となったコンテンツを選択し，「詳細を確認して３Ｄ印刷用データを投稿する」を選択することで，その選択要求が作成者端末５から管理コンピュータ２に送られる。
【００７７】
管理コンピュータ２の３Ｄ印刷用データ登録処理部２４で上記選択要求を受け付けると，３Ｄ印刷用データ登録処理部２４は，選択された使用許諾コンテンツの詳細情報，公開設定の情報を使用許諾コンテンツ記憶部２３から抽出し，図１９に示す使用許諾コンテンツによる３Ｄ印刷用データの登録画面を作成者端末５に表示させる（Ｓ４９０）。
【００７８】
作成者は，作成者端末５で表示されている使用許諾コンテンツによる３Ｄ印刷用データ登録画面の記載にしたがい，３Ｄ印刷用データに関する情報の入力を行う（Ｓ５００）。すなわち，登録する３Ｄ印刷用データのアップロードをし（Ｓ５００１），３Ｄ印刷用データ画像情報のアップロードをし（Ｓ５００２），３Ｄ印刷用データの詳細情報の入力をし（Ｓ５００３），３Ｄデータの公開設定の情報の入力をする（Ｓ５００４）。そして「審査を依頼する」を選択すると（Ｓ５１０），入力した３Ｄデータの詳細，公開設定の各情報と審査依頼の要求とが作成者端末５から管理コンピュータ２に送られ，管理コンピュータ２の３Ｄ印刷用データ登録処理部２４でアップロードされた３Ｄ印刷用データ，３Ｄ印刷用データ画像情報，３Ｄデータの詳細，公開設定の各情報と審査依頼の要求とを受け付ける（Ｓ５１０）。
【００７９】
３Ｄ印刷用データ登録処理部２４は，受け付けた各情報を３Ｄ印刷用データ記憶部２５に記憶させる。そして３Ｄ印刷用データ登録処理部２４は，当該受け付けた３Ｄ印刷用データの各情報について，ステータスを「審査中」として登録し，使用許諾コンテンツ審査処理部２７による使用許諾コンテンツの審査処理を実行させる（Ｓ５２０）。
【００８０】
使用許諾コンテンツの審査処理において使用許諾コンテンツ審査処理部２７は，Ｓ４８０で選択されたコンテンツについて，使用許諾コンテンツ記憶部２３に記憶する当該コンテンツを登録したユーザに対して，ユーザ名などの電子メールアドレスに基づいて，審査依頼の電子メールを通知する（Ｓ６１０）。図２０に審査依頼の電子メールの一例を模式的に示す。
【００８１】
この依頼の通知を許諾権者端末４で受け取った許諾権者は，利用するコンピュータ（許諾権者端末４）から所定の操作を行うことでログイン処理を実行する（Ｓ６２０）。すなわち，許諾権者端末４から図９に示すトップページ画面にアクセスし，「ログイン」を選択して図１１に示すログイン画面を表示させる。そしてログイン画面にユーザ名，パスワードなどの認証情報の入力を行う。入力された認証情報は，管理コンピュータ２で受け付け，ユーザ情報記憶部２１に記憶する認証情報と一致するかを判定し，一致する場合には，図１２に示すマイページ画面を表示させる。
【００８２】
そしてマイページ画面における「３Ｄデータの投稿と管理」を選択してプルダウンメニューが表示され（図１４），許諾権者は，プルダウンメニューから「使用許諾コンテンツ一覧」を選択する。そうすると，この選択要求が許諾権者端末４から管理コンピュータ２に送られ，管理コンピュータ２の使用許諾コンテンツ審査処理部２７は，当該ユーザに対応づけられた使用許諾コンテンツを，使用許諾コンテンツ記憶部２３から抽出し，一覧のリストとして，使用許諾コンテンツ一覧画面（図２１）を表示させる（Ｓ６３０）。
【００８３】
そして使用許諾コンテンツ一覧画面における「利用中の３Ｄ印刷用データ」の選択を許諾権者が許諾権者端末４で行うと，その選択要求が許諾権者端末４から管理コンピュータ２に送られ，管理コンピュータ２の使用許諾コンテンツ審査処理部２７は，３Ｄ印刷用データ記憶部２５，ユーザ情報記憶部２１に記憶する，選択されたコンテンツに対応づけられた３Ｄ印刷用データおよびそれを登録した作成者であるユーザに関する情報（３Ｄ印刷用データ画像情報，タイトル，販売価格，ハンドルネーム，投稿日など）を抽出し，図２２に示す利用中の３Ｄ印刷用データ一覧画面を表示させる（Ｓ６４０）。そしてそのステータスを確認後，「審査待ち」になっている３Ｄ印刷用データを，「審査する」を選択することで当該３Ｄ印刷用データの審査を行う（Ｓ６５０）。具体的には，使用許諾コンテンツ審査処理部２７が，３Ｄ印刷用データ記憶部２５に記憶する，選択された３Ｄ印刷用データに関する情報，ユーザ情報記憶部２１に記憶する当該ユーザに関する情報を抽出し，図２３に示す審査画面を表示させる（Ｓ６６０）。
【００８４】
図２３の審査画面では表示をしていないが，３Ｄ印刷用データが許諾権者端末４でダウンロード可能となり，３Ｄ印刷用データの内容を確認可能としても良い。また審査画面の一部に，３Ｄ印刷用データを読み込み，それを３Ｄ表示させる機能を備えても良い。これによって，単に作成者が登録した３Ｄ印刷用データを２次元化した３Ｄ印刷用データ画像情報のほか，実際の３Ｄ印刷用データそのものの適否を審査することができる。
【００８５】
そしてこの審査の結果，許諾権者が当該３Ｄ印刷用データを承認する場合には（Ｓ６７０），「承認する」を選択することで，承認されたことを示す通知が許諾権者端末４から管理コンピュータ２に送られ，それを管理コンピュータ２の使用許諾コンテンツ審査処理部２７で受け付ける（Ｓ６８０）。この通知を受け付けると，使用許諾コンテンツ審査処理部２７は，当該作成者に対して，図２４に示す承認されたことを示す通知を電子メールで送る（Ｓ６９０）。また，使用許諾コンテンツ審査処理部２７は，３Ｄ印刷用データ記憶部２５に記憶した当該３Ｄ印刷用データのステータスを「公開中」に変更し（Ｓ７００），ほかのユーザに対して公開する。
【００８６】
一方，上記審査の結果，許諾権者が当該３Ｄ印刷用データを拒否する（承認しない）場合には（Ｓ６７０），「拒否する」を選択することで，承認されなかったことを示す通知が許諾権者端末４から管理コンピュータ２に送られ，それを管理コンピュータ２の使用許諾コンテンツ審査処理部２７で受け付ける（Ｓ７１０）。この通知を受け付けると，使用許諾コンテンツ審査処理部２７は，当該作成者に対して，図２５に示す承認されなかったことを示す通知を電子メールで送る（Ｓ７２０）。また，使用許諾コンテンツ審査処理部２７は，３Ｄ印刷用データ記憶部２５に記憶した当該３Ｄ印刷用データのステータスを「不承認」に変更し（Ｓ７３０），ほかのユーザに対して公開されない非公開の状態とする。非公開とはほかのユーザが検索をしても検索対象にならないことを意味する。
【００８７】
なお，Ｓ６７０では「承認」または「拒否（不承認）」の２択であったが，３Ｄ印刷用データによっては，修正すべき点が改善されれば承認することができる，といった場合もある。その場合に，上記のほかにさらに，「修正が必要」といった選択肢を設けてもよい。この場合，さらにどの点をどのように改善すれば良いのかといったことを示す修正箇所の説明の入力をあわせて許諾権者端末４で受け付ける。そして，許諾権者端末４で「修正が必要」が選択されると，修正箇所の説明と合わせてその選択がなされたことの通知が管理コンピュータ２に送られ，管理コンピュータ２の使用許諾コンテンツ審査処理部２７は，それらの情報を作成者に電子メールなどで送信する。そして電子メールを確認した作成者であるユーザは，当該説明の情報を確認し，納得する場合にはその修正を行った上で，再度，Ｓ４１０以降の処理を行うことで，３Ｄ印刷用データの登録処理を行い，再審査を求めるように構成しても良い。なおこの場合，すでに登録した情報は３Ｄ印刷用データ記憶部２５に記憶し，抽出することで，入力の負担を軽減するようにしても良い。
【００８８】
以上のような処理を実行することで，３Ｄ印刷用データの登録処理が実行できる。
【００８９】
つぎに以上のようにして登録された３Ｄ印刷用データを購入する場合の処理を説明する。
【００９０】
３Ｄ印刷用データを購入することを希望する購入者であるユーザが，３Ｄ印刷用データ取引システム１に登録されている３Ｄ印刷用データの購入をする場合，利用するコンピュータ（購入者端末３）から所定の操作を行うことでログイン処理を実行する（Ｓ８１０）。すなわち，購入者端末３から図９に示すトップページ画面にアクセスし，「ログイン」を選択して図１１に示すログイン画面を表示させる。そしてログイン画面にユーザ名，パスワードなどの認証情報の入力を行う。入力された認証情報は，管理コンピュータ２で受け付け，ユーザ情報記憶部２１に記憶する認証情報と一致するかを判定し，一致する場合には，図１２に示すマイページ画面を表示させる。
【００９１】
そして購入者がマイページ画面でトップページ画面を表示させる操作を行うことで，購入者端末３からログイン後のトップページ画面（図２６）の表示要求が管理コンピュータ２に送られ，管理コンピュータ２の３Ｄ印刷用データ購入処理部２６でその表示要求を受け付ける。３Ｄ印刷用データ購入処理部２６は，３Ｄ印刷用データ記憶部２５に記憶する３Ｄ印刷用データのうち，ステータスが「公開中」であって（すなわちステータスが「非公開」，「審査中」の３Ｄ印刷用データは抽出の対象としない），当該購入者の年齢（ユーザ情報記憶部２１における当該購入者の生年月日の情報から特定する）を参照して年齢制限に該当しない３Ｄ印刷用データを抽出し，ログイン後のトップページ画面に表示させ，それを購入者端末３で表示させる（Ｓ８２０）。
【００９２】
図２６のログイン後のトップページ画面では，「ピックアップ３Ｄ印刷用データ」，「新着３Ｄ印刷用データ」，「ランキング」などが表示されている。「ピックアップ３Ｄ印刷用データ」はたとえば閲覧回数の多い３Ｄ印刷用データであり，「新着３Ｄ印刷用データ」は新しく登録された３Ｄ印刷用データであり，「ランキング」はダウンロード（購入）数の多い３Ｄ印刷用データである。閲覧情報は当該３Ｄ印刷用データが選択された回数を，ダウンロード数も当該３Ｄ印刷用データが購入された数を，それぞれ３Ｄ印刷用データに対応づけて３Ｄ印刷用データ記憶部２５に記憶させておく。また登録の新旧は３Ｄ印刷用データに対応づけて記憶している登録日に基づいて特定可能である。
【００９３】
以上のようにして購入者が購入可能な３Ｄ印刷用データがトップページ画面に表示されると，購入者は購入を所望する３Ｄ印刷用データを選択する。その選択により詳細情報の表示要求が購入者端末３から管理コンピュータ２に送られ，管理コンピュータ２の３Ｄ印刷用データ購入処理部２６で受け付ける。３Ｄ印刷用データ購入処理部２６で３Ｄ印刷用データの詳細情報の表示要求を受け付けると，３Ｄ印刷用データ購入処理部２６は，選択された３Ｄ印刷用データの詳細情報に関する詳細情報などの情報を３Ｄ印刷用データ記憶部２５から抽出し，図２７に示す３Ｄ印刷用データの詳細情報画面を購入者端末３に送信する。
【００９４】
購入者端末３で３Ｄ印刷用データの詳細情報画面が表示され，「３Ｄプレビュー」の選択がなされると，３Ｄ印刷用データの取得要求が管理コンピュータ２に送られ，管理コンピュータ２の３Ｄ印刷用データ購入処理部２６は，３Ｄ印刷用データ記憶部２５の当該３Ｄ印刷用データを取得し，購入者端末３に送る。そして購入者端末３で３Ｄプレビューの表示を行わせる。なお，ここで購入者端末３に送られた３Ｄ印刷用データは購入者端末３の一時的な記憶装置７１であるキャッシュなどに蓄積されないよう，表示処理終了後には削除処理が行われるように構成されていると良い。またそのほかに，３Ｄプレビューで送る３Ｄ印刷用データでは，すべてのデータを送るのではなく，一部分を削除したデータ，あるいはデータの精度を落として送るようにしてもよい。またデータそのものは送らずに，データの３次元表示をするための処理は，管理コンピュータ２上で行わせ，購入者端末３でその表示のみを行わせるようにしても良い。
【００９５】
３Ｄプレビューなどで当該３Ｄ印刷用データを購入する場合，購入者は，購入者端末３で「購入する」を選択すると，購入要求が購入者端末３から管理コンピュータ２に送られ，管理コンピュータ２の３Ｄ印刷用データ購入処理部２６でその要求を受け付ける（Ｓ８３０）。３Ｄ印刷用データ購入処理部２６は，その購入要求に基づいて決済処理を行う（Ｓ８４０）。すなわち，当該購入者であるユーザのクレジットカード番号やペイパルのアカウント情報などの入力を購入者端末３から受け付ける。また購入された３Ｄ印刷用データについて３Ｄ印刷用データ記憶部２５に売上数をカウントし，その売上日時を記憶させる。たとえば購入された３Ｄ印刷用データの販売価格が５００円の場合，購入者であるユーザのクレジットカード番号に基づいて５００円のクレジットカードの決済処理を行う一方，購入された３Ｄ印刷用データに売上数として１をカウントし，５００円の売上の決済処理を行う。
【００９６】
そして３Ｄ印刷用データ購入処理部２６は，購入要求の対象となった３Ｄ印刷用データを３Ｄ印刷用データ記憶部２５から抽出し，購入者端末３にダウンロードさせる（Ｓ８５０）。また３Ｄ印刷用データ購入処理部２６は，購入者であるユーザのユーザ情報として，当該３Ｄ印刷用データを購入したことを示す購入履歴を記憶して更新させるとともに（Ｓ８６０），当該３Ｄ印刷用データが販売されたことを示すダウンロード履歴を，作成者であるユーザのユーザ情報としてユーザ情報記憶部２１に記憶させる。
【００９７】
購入者は購入者端末３で３Ｄ印刷用データを受け取るので，その３Ｄ印刷用データに基づいて，３Ｄプリンタなどを用いて造形物を生成することが可能となる。
【００９８】
以上のような処理を実行することで３Ｄ印刷用データの購入処理が実行できる。
【００９９】
また所定のタイミングまたは不定期に，３Ｄ印刷用データ取引システム１の運営者は，ユーザ情報記憶部２１に記憶された売上の情報に基づいて，購入された３Ｄ印刷用データの金額をそのユーザに送金する処理を行う。この際に，公租公課，権利手数料やシステム利用手数料などを除外した金額を送金しても良い。
【０１００】
さらに使用許諾コンテンツの売上があった場合，３Ｄ印刷用データ記憶部２５には対応するコンテンツの許諾権者および権利手数料などが記憶されている。そのため，売上があった使用許諾コンテンツの許諾を受けた３Ｄ印刷用データの場合，管理コンピュータ２は，当該３Ｄ印刷用データ記憶部２５に記憶する売上（購入（ダウンロード）数×販売価格または売上額）のうち，当該許諾権者が設定した権利手数料を使用許諾コンテンツ記憶部２３を参照することで算出し，許諾権者が取得すべき権利手数料の額を算出する。そして算出した額を管理コンピュータ２は，使用許諾コンテンツ記憶部２３から許諾権者を特定し，ユーザ情報記憶部２１に記憶する当該許諾権者であるユーザの振込先となる銀行口座の情報を抽出して，そこに送金する処理を実行する。
【０１０１】
なお，以上の各処理において，電子メールの代わりに，メッセージングツールなどほかの代替手段を用いても良い。
【実施例２】
【０１０２】
上述の実施例に加えて，許諾権者が登録しているコンテンツのうち，審査のときから無断で改変等をして，あるいは禁止事項等に反した３Ｄ印刷用データを登録する可能性もある。そのような場合を防止するため，図２２に示す利用中の３Ｄ印刷用データ一覧画面から「違反により非表示にする」を選択することで，管理コンピュータ２に対して非公開の要求を送る。管理コンピュータ２の使用許諾コンテンツ審査処理部２７は，非公開の要求を受け付けると，３Ｄ印刷用データ記憶部２５における当該３Ｄ印刷用データのステータスを「非公開」に変更する。
【０１０３】
これによって，許諾権者が妥当ではないと判断した３Ｄ印刷用データの公開を防止することができる。
【０１０４】
さらに，使用許諾コンテンツ審査処理部２７は，当該コンテンツに対応づけて，使用を許可しないユーザ（「違反により非表示にする」が選択されたユーザ）の識別情報を使用許諾コンテンツ記憶部２３に記憶させる。そして，３Ｄ印刷データの登録処理において，以下のような処理を実行する。
【０１０５】
まず，３Ｄ印刷用データ登録処理部２４のＳ４２０の処理（図６）において，「「使用許諾コンテンツ」３Ｄデータの投稿」が選択された場合，その選択が行われると，作成者端末５から使用許諾コンテンツの３Ｄ印刷用データの登録要求が管理コンピュータ２に送られ，それを管理コンピュータ２の３Ｄ印刷用データ登録処理部２４で受け付ける。
【０１０６】
そして３Ｄ印刷用データ登録処理部２４は，使用許諾コンテンツ記憶部２３に記憶されている「使用を許可しないユーザ」に当該ユーザが含まれるかを，ユーザ識別情報に基づいてチェックし，含まれている場合には，そのコンテンツについて，図２８に示すように，「詳細を確認して３Ｄ印刷用データを登録する」のボタンを表示させず，「ご利用頂けません」のように表示をして，当該コンテンツについて３Ｄ印刷用データを登録できないようにする。
【０１０７】
一方，３Ｄ印刷用データ登録処理部２４は，使用許諾コンテンツ記憶部２３に記憶されている「使用を許可しないユーザ」に当該ユーザが含まれていない場合には，図１８に示すように，作成者端末５に対して，使用するキャラクタ（コンテンツ）の選択画面を送り，作成者端末５から，使用するキャラクタの選択を受け付ける（Ｓ４８０）。この際に，３Ｄ印刷用データ登録処理部２４は，使用許諾コンテンツ記憶部２３に記憶している，使用許諾の対象となるコンテンツのうち，公開設定が当該ユーザの年齢，許諾期間を満たしているコンテンツを特定し，それに対応する情報を使用許諾コンテンツ記憶部２３から抽出して上記選択画面に表示させる。そして，作成者は，作成者端末５から，自らが作成した３Ｄ印刷用データの元となったコンテンツを選択し，「詳細を確認して３Ｄ印刷用データを投稿する」を選択することで，その選択要求が作成者端末５から管理コンピュータ２に送られる。
【０１０８】
なお，図２８では，コンテンツごとにユーザが使用許諾コンテンツを利用した３Ｄ印刷用データを登録できない処理としたが，あるコンテンツについてユーザが使用許可されない場合には，当該許諾権者についてはほかのコンテンツについても使用許可されない，とされるのが一般的である。そこで，使用許諾コンテンツを登録したユーザが使用許諾対象としているすべてのコンテンツについて，３Ｄ印刷用データを登録できないようにしてもよい。その場合，使用許諾コンテンツ記憶部２３に記憶している，当該許諾権者であるユーザのすべてのコンテンツについての「使用を許可しないユーザ」に当該ユーザが含まれるかを，ユーザ識別情報に基づいて照合し，Ｓ４８０で図１８，図２８などの画面を表示させればよい。
【０１０９】
以上の処理によって，非公開にされたユーザが，再度，同一のコンテンツを利用して３Ｄ印刷用データを登録しようとしても，再登録できないようにすることができる。
【０１１０】
また，図２２における一覧画面から「違反により非表示にする」を選択することで，コンテンツから当該ユーザの使用を禁止するほか，ユーザそのものを「違反により非表示にする」として登録可能としても良い。この場合，図２１の画面から「コンテンツ利用中のユーザ」が選択され，図２９のコンテンツ利用中のユーザの一覧画面を表示させる。そして，「違反により利用拒否する」が選択されることによって，使用許諾コンテンツ記憶部２３において，選択されたユーザのユーザ識別情報を，選択したユーザ（使用許諾コンテンツを登録したユーザ）が登録しているすべての使用許諾コンテンツの「使用を許可しないユーザ」に追加する。
【０１１１】
これによって，当該使用許諾コンテンツを登録したユーザのすべての使用許諾コンテンツについて，使用を許可しないユーザとして登録することができる。
【０１１２】
以上のような処理によって，許諾権者であるユーザが好ましくないと考えるユーザについて，３Ｄ印刷用データの登録処理を拒否することができる。
【実施例３】
【０１１３】
実施例１および実施例２のほかの実施態様として，複数の３Ｄ印刷用データについてまとめて使用許諾コンテンツの審査を行う場合を説明する。
【０１１４】
３Ｄ印刷用データに基づいて造形物を作成する場合，造形物の大きさは，通常は，３Ｄプリンタで出力可能な大きさに制限される。そのため，大きな造形物を３Ｄプリンタで作成したい場合，作ることができない。そこで一つの造形物について複数のパーツに分解し，パーツごとの３Ｄ印刷用データを用いて３Ｄプリンタで各パーツの造形物を作成し，それらパーツの造形物を組み合わせて大きな造形物とすることが考えられる。
【０１１５】
また，３Ｄプリンタで作成した造形物に色を付けたい場合，全体として一つの造形物として作成されていると，色を塗りにくい部分がでてくる。そこで，上述と同様に，複数のパーツに分解した３Ｄ印刷用データを用いて３Ｄプリンタで各パーツの造形物を作成し，パーツごとに色を塗ったあと，それらパーツを組み合わせて一つの造形物を作成することが考えられる。
【０１１６】
このように，３Ｄプリンタで大きな造形物を作りたい場合や，造形物に色をきれいに塗りたい場合などのように，全体として一つの３Ｄ印刷用データではなく，パーツごとの３Ｄ印刷用データに基づいて３Ｄプリンタでパーツの造形物を作成し，それら造形物を組み合わせるという需要が存在する。
【０１１７】
しかし，３Ｄ印刷用データ単位での審査をする場合，使用許諾コンテンツについて，上述のパーツごとに分解した３Ｄ印刷用データの審査を行うと，審査が煩雑となったり，各パーツを組み合わせた全体が想像できない，といったことが想定される。そこで，本実施例ではパーツごとではなく，各パーツを組み合わせた全体として一つの審査が行える場合を説明する。
【０１１８】
なお，以下の説明では，使用許諾されているキャラクタ○○○○について，頭，胴体，右腕，左腕，右脚，左脚の５つのパーツからなる各３Ｄ印刷用データの場合を説明する。
【０１１９】
まず，作成者が，上述の５つのパーツの３Ｄ印刷用データを関連づけて，作成者端末５から管理コンピュータ２に登録させる場合を説明する。
【０１２０】
作成者は，作成者端末４を上述の実施例と同様に適宜操作することにより，ログイン処理やマイページの表示処理を行う。そして，マイページ画面において，「「使用許諾コンテンツ」３Ｄデータの投稿」が選択された場合，その選択が行われると，作成者端末５から使用許諾コンテンツの３Ｄ印刷用データの登録要求が管理コンピュータ２に送られ，それを管理コンピュータ２の３Ｄ印刷用データ登録処理部２４で受け付ける（Ｓ４２０）。
【０１２１】
そして，３Ｄ印刷用データ登録処理部２４は，作成者端末５に対して，図１８に示す，使用するキャラクタ（コンテンツ）の選択画面を送り，作成者端末５から，使用するキャラクタの選択を受け付ける（Ｓ４８０）。この際に，３Ｄ印刷用データ登録処理部２４は，使用許諾コンテンツ記憶部２３に記憶している，使用許諾の対象となるコンテンツのうち，公開設定が当該ユーザの年齢，許諾期間を満たしているコンテンツを特定し，それに対応する情報を使用許諾コンテンツ記憶部２３から抽出して上記選択画面に表示させる。そして，作成者は，作成者端末５から，自らが作成した３Ｄ印刷用データの元となったコンテンツを選択し，「複数のパーツの場合はこちら」を選択することで，その選択要求が作成者端末５から管理コンピュータ２に送られる。
【０１２２】
管理コンピュータ２の３Ｄ印刷用データ登録処理部２４で上記選択要求を受け付けると，３Ｄ印刷用データ登録処理部２４は，選択された使用許諾コンテンツの詳細情報，公開設定の情報を使用許諾コンテンツ記憶部２３から抽出し，図３０に示す使用許諾コンテンツによる３Ｄ印刷用データの登録画面を作成者端末５に表示させる（Ｓ４９０）。
【０１２３】
図３０に示すような画面において，一つの使用許諾コンテンツに対して，複数のパーツの３Ｄ印刷用データを一群としてアップロードできるように構成する（Ｓ５００）。すなわち，まず３Ｄ印刷用データの登録画面として，各パーツの３Ｄ印刷用データと，そのパーツの３Ｄ印刷用データ画像情報のアップロードを行うための画面を表示させる。ここでは作成者は，作成者端末４から頭，胴体，右腕，左腕，右脚，左脚のそれぞれのパーツの３Ｄ印刷用データおよびそれらパーツの３Ｄ印刷用データ画像情報を，それぞれ画面からアップロードし（Ｓ５００１，Ｓ５００２），３Ｄ印刷用データ登録処理部２４はそれらの情報を受け付け，３Ｄ印刷用データ記憶部に記憶させる。この際に，３Ｄ印刷用データ登録処理部２４は，使用許諾コンテンツであるキャラクタ「○○○○」に対応づけられた頭，胴体，右腕，左腕，右脚，左脚のパーツごとの３Ｄ印刷用データに対して，それが一つの使用許諾コンテンツに関連づけられた３Ｄ印刷用データであることを示すフラグや識別情報（以下，「関連性識別情報」という）を付した上で，３Ｄ印刷用データ記憶部２５に記憶させる。なお，３Ｄ印刷用データ画像情報にも同じ関連性識別情報を付して，３Ｄ印刷用データ記憶部２５に記憶させる。
【０１２４】
以上のようにしてすべてのパーツの３Ｄ印刷用データ，３Ｄ印刷用データ画像情報のアップロード処理を行うと，つぎに，図３１に示すように，各パーツを組み合わせた状態の画像情報（以下，「全体画像」という），および，３Ｄ印刷用データの詳細情報と，３Ｄデータの公開設定の情報との入力を行う３Ｄ印刷用データの登録画面を表示させ，登録させる（Ｓ５００３，Ｓ５００４）。各パーツを組み合わせた状態の画像情報としては，一または複数の視点から当該各パーツを組み合わせた全体を示す一以上の２次元画像であっても良いし，３次元画像であっても良い。上述の例では，頭，胴体，右腕，左腕，右脚，左脚のパーツを組み合わせて作成されるキャラクタ「○○○○」の一または複数の視点からの２次元画像または３次元画像を登録することとなる。
【０１２５】
これらで入力された全体画像，３Ｄ印刷用データの詳細情報と，３Ｄデータの公開設定の情報は，いずれも，各パーツの３Ｄ印刷用データの登録時に関連づけられた関連性識別情報に，同様に関連づけて３Ｄ印刷用データ記憶部２５に記憶される。
【０１２６】
そして作成者が作成者端末５で「審査を依頼する」を選択すると（Ｓ５１０），入力した３Ｄデータの詳細，公開設定の各情報と審査依頼の要求とが作成者端末５から管理コンピュータ２に送られ，管理コンピュータ２の３Ｄ印刷用データ登録処理部２４でアップロードされた３Ｄ印刷用データ，３Ｄ印刷用データ画像情報，３Ｄ印刷用データの詳細，公開設定の各情報と審査依頼の要求とを受け付ける（Ｓ５１０）。
【０１２７】
なお，頭，胴体，右腕，左腕，右脚，左脚の各パーツの３Ｄ印刷用データについて，３Ｄ印刷用データ登録処理部２４が，３Ｄ印刷用データ記憶部２５に，それらのステータスを「審査中」として登録するのは，上記各実施例と同様である。そして，使用許諾コンテンツ審査処理部２７は，Ｓ５２０と同様に，使用許諾コンテンツの審査処理を実行させる。
【０１２８】
使用許諾コンテンツの審査処理において使用許諾コンテンツ審査処理部２７は，Ｓ４８０で選択されたコンテンツについて，使用許諾コンテンツ記憶部２３に記憶する当該コンテンツを登録したユーザに対して，ユーザ名などの電子メールアドレスに基づいて，審査依頼の電子メールを通知する（Ｓ６１０）。なお，この際に，パーツごとの３Ｄ印刷用データについてそれぞれ審査依頼の電子メールを通知するのではなく，上記関連性識別情報が付いた３Ｄ印刷用データにつき一つの電子メールを通知すれば良い。
【０１２９】
この依頼の通知を許諾権者端末４で受け取った許諾権者は，許諾権者端末４から所定の操作を行うことでログイン処理を行い（Ｓ６２０），所定の認証処理を実行した後，マイページの画面を表示させる。そして，実施例１，実施例２と同様に，使用許諾権者端末４からの操作により，使用許諾コンテンツ審査処理部２７は，当該ユーザに対応づけられた使用許諾コンテンツを，使用許諾コンテンツ２３から抽出し，一覧のリストとして，図２１に示す使用許諾コンテンツ一覧画面を表示させる（Ｓ６３０）。
【０１３０】
そして使用許諾コンテンツ一覧画面における「利用中の３Ｄ印刷用データ」の選択を許諾権者が許諾権者端末４で行うと，その選択要求が許諾権者端末４から管理コンピュータ２に送られ，管理コンピュータ２の使用許諾コンテンツ審査処理部２７は，３Ｄ印刷用データ記憶部２５，ユーザ情報記憶部２１に記憶する，選択するコンテンツに対応づけられた３Ｄ印刷用データおよびそれを登録した作成者であるユーザに関する情報（３Ｄ印刷データ画像，タイトル，販売価格，ハンドルネーム，投稿日など）を抽出し，図３２に示す３Ｄ印刷用データ一覧画面を表示させる（Ｓ６４０）。なお，ここで３Ｄ印刷用データ一覧画面に表示する３Ｄ印刷データ画像として，複数のパーツごとの３Ｄ印刷用データ画像ではなく，全体画像を表示させることが好ましい。そしてそのステータスを確認後，「審査待ち」になっている３Ｄ印刷用データを，「審査する」を選択することで，当該３Ｄ印刷用データの審査を行う（Ｓ６５０）。具体的には，使用許諾コンテンツ審査処理部２７が，３Ｄ印刷用データ記憶部２５に記憶する，選択された，関連性識別情報により関連づけられたすべての３Ｄ印刷用データに関する情報，ユーザ情報記憶部に記憶する当該ユーザに関する情報を抽出し，図３３に示す審査画面を表示させる（Ｓ６６０）。
【０１３１】
Ｓ６６０で表示させる審査画面では，各パーツの３Ｄ印刷用データ画像のみではなく，各パーツが組み合わせられた全体画像がメイン画像として表示されているとよい。これによって，パーツごとの審査ではなく，各パーツごとに組み合わせられた，キャラクタ「○○○○」として許諾権者は認識し，審査することができる。
【０１３２】
そしてこの審査の結果，許諾権者が当該３Ｄ印刷用データを承認する場合には（Ｓ６７０），「承認する」を選択することで，承認されたことを示す通知が許諾権者端末４から管理コンピュータ２に送られ，それを管理コンピュータ２の使用許諾コンテンツ審査処理部２７で受け付ける（Ｓ６８０）。この通知を受け付けると，使用許諾コンテンツ審査処理部２７は，当該作成者に対して承認されたことを示す通知を電子メールで送る（Ｓ６９０）。また，使用許諾コンテンツ審査処理部２７は，３Ｄ印刷用データ記憶部２５に記憶した，当該関連性識別情報により関連づけられたすべての３Ｄ印刷用データのステータスを「公開中」に変更し（Ｓ７００），ほかのユーザに対して公開する。
【０１３３】
一方，上記審査の結果，許諾権者が当該３Ｄ印刷用データを拒否する（承認しない）場合には（Ｓ６７０），「拒否する」を選択することで，承認されなかったことを示す通知が許諾権者端末４から管理コンピュータ２に送られ，それを管理コンピュータ２の使用許諾コンテンツ審査処理部２７で受け付ける（Ｓ７１０）。この通知を受け付けると，使用許諾コンテンツ審査処理部２７は，当該作成者に対して，承認されなかったことを示す通知を電子メールで送る（Ｓ７２０）。また，使用許諾コンテンツ審査処理部２７は，３Ｄ印刷用データ記憶部２５に記憶した，当該関連性識別情報により関連づけられたすべての３Ｄ印刷用データのステータスを「不承認」に変更し（Ｓ７３０），ほかのユーザに対して公開されない非公開の状態とする。
【０１３４】
以上のような処理を実行することで，造形物が複数のパーツから構成されており，各パーツごとに３Ｄ印刷用データがある場合，それらをまとめて審査することができる。たとえば，上述の例では，一つのキャラクタ○○○○について，頭，胴体，右腕，左腕，右脚，左脚の５つのパーツごとに審査をするのではなく，全体として一つのキャラクタとして審査をすれば，関連する５つのパーツについて，すべて処理をすることが可能となり，許諾権者にとっての審査負担を著しく軽減することができる。
【０１３５】
なお，本実施例のように一つのキャラクタが複数のパーツから構成されている場合，３Ｄ印刷用データの購入処理においても，関連性識別情報により関連づけられたすべてのパーツの３Ｄ印刷用データについて，まとめて一つのキャラクタとして扱って処理をすることもできる。たとえば，図２６に示すトップページ画面や図２７に示す３Ｄ印刷用データの詳細情報画面において，各パーツの３Ｄ印刷用データ画像に加えて，全体画像を表示させると良い。また，関連性識別情報単位で購入やダウンロード処理を３Ｄ印刷用データ購入処理部が行うことで，関連性識別情報に関連づけられた各パーツをまとめて購入，ダウンロードできるようにしても良い。
【産業上の利用可能性】
【０１３６】
本発明の３Ｄ印刷用データ取引システム１を用いることで，効率的な著作権，商品化権の管理ができるとともに，フィギュアなどの３Ｄ印刷用データの取引を円滑に行うことができる取引システムが実現できる。
【符号の説明】
【０１３７】
１：３Ｄ印刷用データ取引システム
２：管理コンピュータ
３：購入者端末
４：許諾権者端末
５：作成者端末
２０：ユーザ登録処理部
２１：ユーザ情報記憶部
２２：使用許諾コンテンツ登録処理部
２３：使用許諾コンテンツ記憶部
２４：３Ｄ印刷用データ登録処理部
２５：３Ｄ印刷用データ記憶部
２６：３Ｄ印刷用データ購入処理部
２７：使用許諾コンテンツ審査処理部
７０：演算装置
７１：記憶装置
７２：表示装置
７３：入力装置
７４：通信装置
【図１】
2017207944.tif 000003
【図２】
2017207944.tif 000004
【図３】
2017207944.tif 000005
【図４】
2017207944.tif 000006
【図５】
2017207944.tif 000007
【図６】
2017207944.tif 000008
【図７】
2017207944.tif 000009
【図８】
2017207944.tif 000010
【図９】
2017207944.tif 000011
【図１０】
2017207944.tif 000012
【図１１】
2017207944.tif 000013
【図１２】
2017207944.tif 000014
【図１３】
2017207944.tif 000015
【図１４】
2017207944.tif 000016
【図１５】
2017207944.tif 000017
【図１６】
2017207944.tif 000018
【図１７】
2017207944.tif 000019
【図１８】
2017207944.tif 000020
【図１９】
2017207944.tif 000021
【図２０】
2017207944.tif 000022
【図２１】
2017207944.tif 000023
【図２２】
2017207944.tif 000024
【図２３】
2017207944.tif 000025
【図２４】
2017207944.tif 000026
【図２５】
2017207944.tif 000027
【図２６】
2017207944.tif 000028
【図２７】
2017207944.tif 000029
【図２８】
2017207944.tif 000030
【図２９】
2017207944.tif 000031
【図３０】
2017207944.tif 000032
【図３１】
2017207944.tif 000033
【図３２】
2017207944.tif 000034
【図３３】
2017207944.tif 000035